(57)【要約】      （修正有）【課題】涼感衣料の着衣の快適性を向上させた、プレーティング及びインレイによる編物を提供する。【解決手段】セルロース長繊維を地糸３０とし、且つ疎水性繊維で作られた糸を表糸とし、さらに表糸と地糸をプレーティングで経編したものであり、そのうち、プレーティング編成時において、地糸の給糸張力を表糸の給糸張力の１．５倍〜３倍の間とし、また地糸の縦方向角度を１５度〜３０度の間とし、同時に弾性繊維が含まれたインレイ糸４０を編成のコース（ｃｏｕｒｓｅ）１１中にインレイする。【選択図】図２
2019199678.tif 000002
【特許請求の範囲】
【請求項１】
疎水性繊維で作られた糸である表糸と、
セルロース長繊維で作られた糸である地糸と、
弾性繊維、疎水性繊維、植物繊維又は機能性繊維で作られた糸であるインレイ糸と、を含み、
そのうち、前記表糸と前記地糸はプレーティングによって編成を行い、且つ編成時の前記地糸の給糸張力を前記表糸の給糸張力の１．５倍〜３倍の間とし、また前記地糸の給糸の縦方向角度を１５度〜３０度の間とし、且つ前記インレイ糸を編成のコース（ｃｏｕｒｓｅ）中にインレイすることを特徴とする、プレーティング及びインレイによる編物。
【請求項２】
前記地糸と前記表糸の繊度比は０．４：１〜１．１：１の間であることを特徴とする、請求項１に記載のプレーティング及びインレイによる編物。
【請求項３】
編成時において、前記地糸の給糸張力は２．５ｇ〜４．０ｇの間であることを特徴とする、請求項１に記載のプレーティング及びインレイによる編物。
【請求項４】
編成時において、前記表糸の給糸張力は１．５ｇであることを特徴とする、請求項１又は請求項３に記載のプレーティング及びインレイによる編物。
【請求項５】
前記インレイ糸はコースの冠部（ｃｒｏｗｎ）上に織り込むことを特徴とする、請求項１に記載のプレーティング及びインレイによる編物。
【請求項６】
前記インレイ糸は空針で間隔をあけてコース上に織り込むことを特徴とする、請求項１に記載のプレーティング及びインレイによる編物。
【請求項７】
前記インレイ糸が２つの隣接するコース上の空針部分を編成する時には、単針編出しによるインレイ及び双針編出しによるインレイによってそれぞれ経方向に異なる場所に位置させることを特徴とする、請求項６に記載のプレーティング及びインレイによる編物。
【請求項８】
前記表糸を作る疎水性繊維は、ポリプロピレン繊維、ポリエチレンテレフタラート繊維又はナイロン繊維であることを特徴とする、請求項１に記載のプレーティング及びインレイによる編物。
【請求項９】
前記地糸を作るセルロース長繊維は、綿繊維、麻繊維又はレーヨン繊維であることを特徴とする、請求項１に記載のプレーティング及びインレイによる編物。
【請求項１０】
最大熱吸収速度（Ｑ−ＭＡＸ）が０．１１０〜０．１４０の間であることを特徴とする、請求項１に記載のプレーティング及びインレイによる編物。
【発明の詳細な説明】
【技術分野】
【０００１】
本発明は織布技術に関し、特にプレーティング及びインレイによる編物に関するものである。
【背景技術】
【０００２】
涼感衣料は着衣時の蒸し暑さを軽減することができるものの、それらの多くは繊維の主要成分に疎水性材料を採用しているため、着衣後に静電気が蓄積しやすく、着衣時に不快感が生じてしまう。これらの技術は明らかに未だ完全ではなく、改善を加える必要性がある。
【発明の概要】
【発明が解決しようとする課題】
【０００３】
本発明は以上に鑑み、セルロース長繊維を地糸とすることで、編物と身体の皮膚との間の親和性が向上し、静電気の蓄積を防ぐことができるだけでなく、親水性を有するセルロース長繊維がより良好な吸汗効果を実現することができ、着衣の快適性が向上する、プレーティング及びインレイによる編物を提供することを主な目的としている。
【０００４】
上記目的を達成するために、本発明は、セルロース長繊維を地糸とし、且つ疎水性繊維で作られた糸を表糸とし、さらに表糸と地糸をプレーティングで経編するが、そのうち、プレーティング編成時において、地糸の給糸張力を表糸の給糸張力の１．５倍〜３倍の間とし、また地糸の給糸の縦方向角度を１５度〜３０度の間とし、同時にインレイ糸を編成のコース（ｃｏｕｒｓｅ）中にインレイすることにより、プレーティング及びインレイによる編物を提供する。
【０００５】
具体的には、編成時の地糸と表糸の給糸張力を異ならせており、地糸の給糸張力が表糸の給糸張力よりも大きく、その倍数は上述の１．５倍〜３倍の間であり、具体的な数値としては地糸の給糸張力が２．５ｇ〜４．０ｇの間であり、表糸の給糸張力が１．５ｇである。
【０００６】
そのうち、インレイ糸は弾性繊維、疎水性繊維、植物繊維又は機能性繊維で作られた糸である。
【０００７】
そのうち、インレイ糸はコースの冠部（ｃｒｏｗｎ）上に織り込む。
【０００８】
そのうち、インレイ糸は空針で間隔をあけてコース上に織り込む。
【０００９】
そのうち、インレイ糸が２つの隣接するコース上の空針部分を編成する時には、単針編出しによるインレイ及び双針編出しによるインレイによってそれぞれ経方向に異なる場所に位置させる。
【００１０】
また、地糸と表糸の繊度比は０．４：１〜１．１：１の間である。
【００１１】
上述の方法及び材料で製造したプレーティング及びインレイによる編物は、その最大熱吸収速度（Ｑ−ＭＡＸ）が０．１１０〜０．１４０の間である。
【図面の簡単な説明】
【００１２】
【図１】本発明の好ましい実施例の部分正面図である。
【図２】本発明の好ましい実施例の部分背面図である。
【図３】本発明の好ましい実施例における実物の部分的な顕微鏡写真であり、表面の状態を示している。
【図４】本発明の好ましい実施例における実物の部分的な顕微鏡写真であり、裏面の状態を示している。
【図５】本発明の別の好ましい実施例の部分背面図である。
【図６】本発明の別の好ましい実施例における実物の部分的な顕微鏡写真であり、表面の状態を示している。
【図７】本発明の別の好ましい実施例における実物の部分的な顕微鏡写真であり、裏面の状態を示している。
【発明を実施するための形態】
【実施例１】
【００１３】
始めに、図１〜図４を参照して、本発明の好ましい実施例中で提供するプレーティング及びインレイによる編物（１０）は、表糸（２０）と地糸（３０）をプレーティング編成で形成したものであり、且つプレーティング編成時に２本のインレイ糸（４０）をインレイして片面プレーティング構造に形成したものである。
【００１４】
表糸（２０）は疎水性繊維で作った糸であり、それら疎水性繊維の材料は、従来技術ではポリプロピレン繊維、ポリエチレンテレフタラート繊維又はナイロン繊維などが既にあるが、本発明が使用する材料はこれらだけに限らない。
【００１５】
地糸（３０）は親水性のセルロース長繊維で作った糸であり、従来技術において公知のセルロース長繊維材料には、綿、麻又はレーヨンなどがあるが、本発明について言えば、地糸に使用する材料は上述のものだけに限らない。
【００１６】
そのうち、地糸（３０）と表糸（２０）の糸の太さの比率は、地糸と表糸の繊度比で０．４：１〜１．１：１の間であるのが好ましい。
【００１７】
２本のインレイ糸（４０）については、１本は弾性繊維で作った糸であり、もう１本は疎水性繊維、植物繊維又は他の機能性繊維で作った糸であり、これらのインレイ糸によって編物自体の弾性を調整し変更せしめることができる。
【００１８】
なお、特に説明すべき点としては、表糸（２０）と地糸（３０）のプレーティング編成を行っている時、表糸の給糸張力は１．５ｇとし、地糸の給糸張力は２．５ｇ〜４．０ｇの間とし、また地糸の給糸の縦方向角度は１５度〜３０度の間とし、且つ編成と同時にインレイ糸（４０）を編成のコース（ｃｏｕｒｓｅ、１１）中にインレイし、インレイ糸（４０）はコース（１１）の冠部（ｃｒｏｗｎ、１１１）上に織り込まれる。
【００１９】
上述の糸と編成方法で製造した片面プレーティング及びインレイによる編物（１０）は、地糸（３０）を編物の内面に位置させて、身体の皮膚に接触する際に、静電気の蓄積を防ぐとともにより良好な吸湿能力を提供できるようにすることで着衣の快適さを向上させており、外面に位置する表糸（２０）は水分を迅速に排出することができ、同時にインレイ糸（４０）がコース（１１）中に織り込まれていることで、プレーティング及びインレイによる編物（１０）の立体効果がさらに向上し、プレーティング及びインレイによる編物（１０）と身体の皮膚との間の間隙が増加するため、良好な空気流通効果を得ることができ、プレーティング及びインレイによる編物（１０）の最大熱吸収速度（Ｑ−ＭＡＸ）を０．１１０〜０．１６００の間にさせて涼感及び快適な着心地を実現しており、これにより従来技術の欠点を効果的に改善することができる。本実施例では、『織物瞬間涼感検証規範』（ＦＴＴＳ−ＦＡ−０１９−３．０版−４）の下、ＴＨＥＲＭＯ  ＬＡＢＯ  IIＢ、ＴＹＰＥ：ＫＥＳ−Ｆ７の装置を使用し、冷却板温度２５±０．１℃、加熱板温度３５±０．１℃とし、温度２０±２℃、湿度６５±２％の測定環境下としたとき、本発明の接触温冷感（Ｑ−ｍａｘ）は０．１５７  Ｗ／ｃｍ２であった。
【実施例２】
【００２０】
また、プレーティング及びインレイによる編物の立体状態を変化させるため、図５〜図７が示すように、本発明が開示する別の実施例では、プレーティング編成で弾性糸（４０'）をインレイする時に、空針の方法で間隔をあけてコース（１１'）上に織り込み、同時にインレイ糸（４０'）をさらに隣接するコース（１１'）にインレイする時に、その空針位置を縦方向に異なる位置に設けることができ、この構造を実現するため、隣接コースの編成において、それらのインレイ糸（４０'）はそれぞれ単針編出しによるインレイ及び双針編出しによるインレイを採用することができるが、これらの空針方法は一般的な従来技術に過ぎず、本発明はここでは詳述しない。
【００２１】
なお、説明すべき点として、それらのインレイ糸（４０'）の空針位置を変化させることで、プレーティング及びインレイによる編物の立体空間形態を変えて、異なる形態の立体効果を得ることができ、前述の実施例と比較しても同様の効果が得られ、プレーティング及びインレイによる編物で衣料を製造して人々に着衣の快適さを提供するのに有用である。
【符号の説明】
【００２２】
１０  プレーティング及びインレイによる編物
１１、１１'  コース
１１１  冠部
２０  表糸
３０  地糸
４０、４０'  インレイ糸
【図１】
2019199678.tif 000003
【図２】
2019199678.tif 000004
【図３】
2019199678.tif 000005
【図４】
2019199678.tif 000006
【図５】
2019199678.tif 000007
【図６】
2019199678.tif 000008
【図７】
2019199678.tif 000009
【外国語明細書】
2019199678000001.pdf